(57)【要約】      （修正有）【課題】必要最低限の露出で手や腕又は足等に点滴針を挿入し点滴を行うことができ、また、医療現場において医療従事者は就寝中の患者を起こさずに点滴針の脱落等を確認でき、さらに使用しやすい人体被覆体を提供する。【解決手段】医療事故防止機能付人体被覆体１は、二以上の部材を頭側の部材を上にして前記頭側の部材１１と反対側の部材１２の一部が重複するように連結部により相互に連結し、前記連結部の間に腕又は足の少なくとも一部を入れたり出したりすることを可能とする構成である人体被覆体１であって、前記連結部は、人体被覆体１の横方向における少なくとも中央部分で前記連結部を構成する部材を結合した第一結合部３１，３３と、人体被覆体１の横方向における一端部又は両端部の少なくとも一部で前記連結部３２，３４を構成する部材を着脱自在に結合した第二結合部とを備えることを特徴とする。【選択図】図７
2007061556.tif 000002
【特許請求の範囲】
【請求項１】
二以上の部材を頭側の部材を上にして前記頭側の部材と反対側の部材の一部が重複するように連結部により相互に連結し、前記連結部の間に腕又は足の少なくとも一部を入れたり出したりすることを可能とする構成である人体被覆体であって、
前記連結部は、
人体被覆体の横方向における少なくとも中央部分で前記連結部を構成する部材を結合した第一結合部と、
人体被覆体の横方向における一端部又は両端部の少なくとも一部で前記連結部を構成する部材を着脱自在に結合した第二結合部と
を備えることを特徴とする人体被覆体。
【請求項２】
前記第一結合部は人体被覆体の横方向に沿った一の直線的な形状又は互いに略平行な二以上の直線的な形状であることを特徴とする請求項１記載の人体被覆体。
【請求項３】
請求項１記載の第一結合部は、頭側の人体被覆体の横方向における長さと足側の人体被覆体の横方向における長さとが略同じか頭側の方が長く形成されたことを特徴とする請求項１記載の人体被覆体。
【請求項４】
前記第一結合部の形状が互いに平行な二以上の直線的な形状である場合において、該第一結合部の形状は頭側の人体被覆体の横方向における長さと足側の人体被覆体の横方向における長さとが略同じか頭側の方が長く形成されたことを特徴とする請求項２記載の人体被覆体。
【請求項５】
前記連結部の間に入れられた腕又は足について前記連結部の間から腕又は足の少なくとも一部が露出可能となる構成にしたことを特徴とする請求項１ないし４のうちいずれか１項記載の人体被覆体。
【請求項６】
人体被覆体を人に掛けた場合に人体被覆体が肩まで掛かりかつ顔が出るように頭側の一端に凹部を設けることを特徴とする請求項１ないし５のうちいずれか１項記載の人体被覆体。
【請求項７】
前記第一結合部は着脱自在に設けられていることを特徴とする請求項１ないし６のうちいずれか１項記載の人体被覆体。
【発明の詳細な説明】
【技術分野】
【０００１】
本発明は、主に医療現場等で用いる人体被覆体に関する。
【背景技術】
【０００２】
従来、医療従事者は、点滴がされた就寝中の患者について、点滴針が脱落していないか、点滴チューブが接続部から外れていないか、又は腕等に挿入した点滴針が血管を突き抜けていないか等を確認するために、点滴がされた就寝中の患者の掛け布団等を捲る必要があった。
【０００３】
しかし、医療従事者が就寝中の患者の掛け布団等を捲ることにより、就寝中の患者を起こしてしまうという不都合があった。
【０００４】
そこで、医療現場では医療従事者が患者を起こさずに点滴針が脱落していないか等を確認するために、例えば前腕に点滴針が挿入された場合、掛け布団等を患者の脇に抱えさせて、掛け布団等の上に点滴針が挿入された腕全体を露出させる場合があった。
【０００５】
しかし、これでは、点滴針が挿入された部分以外の部分すなわち肩の部分等の本来露出させる必要の無い部分も露出することになり、肩等の冷えによるこりや疾痛を生ずることも有りえるという不都合がある。
【０００６】
そこで、本願発明者は点滴を患者に行う際に、必要最低限の露出で腕又は足等に点滴針を挿入し点滴を行うこと等が出来る掛け布団を開発した（意匠登録第１２１９４４７号、意匠登録第１２１９４４８号、特願２００４−１９０９４９）。
【０００７】
これにより、医療従事者は就寝中の患者を起こさずに点滴針の脱落等を確認でき、かつ、必要最低限の露出で腕又は足等に点滴針を挿入し点滴を行うこと等が可能のため肩の冷え等を防ぐことができる。
【０００８】
【非特許文献１】意匠登録第１２１９４４７号（意匠公報参照）
【非特許文献２】意匠登録第１２１９４４８号（意匠公報参照）
【発明の開示】
【発明が解決しようとする課題】
【０００９】
しかし、上記意匠公報に記載された掛け布団によると、複数の部材を中央に設けた結合部のみにより結合しているため複数の部材を連結している連結部において、この連結部を構成する部材が不必要に捲られてしまい使用しづらい等の不都合な点があった。
【００１０】
本発明は上記点に鑑みてなされたものでありその目的とするところは、主に、必要最低限の露出で手や腕又は足等に点滴針を挿入し点滴を行うことができ、また、医療現場において医療従事者は就寝中の患者を起こさずに点滴針の脱落等を確認でき、さらに使用しやすい人体被覆体を提供することにある。
【課題を解決するための手段】
【００１１】
請求項１記載の人体被覆体は、二以上の部材を頭側の部材を上にして前記頭側の部材と反対側の部材の一部が重複するように連結部により相互に連結し、前記連結部の間に腕又は足の少なくとも一部を入れたり出したりすることを可能とする構成である人体被覆体であって、前記連結部は、人体被覆体の横方向における少なくとも中央部分で前記連結部を構成する部材を結合した第一結合部と、人体被覆体の横方向における一端部又は両端部の少なくとも一部で前記連結部を構成する部材を着脱自在に結合した第二結合部とを備えることを特徴とするものである。
【００１２】
請求項２記載の人体被覆体は、前記第一結合部は人体被覆体の横方向に沿った一の直線的な形状又は互いに略平行な二以上の直線的な形状であることを特徴とする請求項１記載の人体被覆体である。
【００１３】
請求項３記載の人体被覆体は、請求項１記載の第一結合部は、頭側の人体被覆体の横方向における長さと足側の人体被覆体の横方向における長さとが略同じか頭側の方が長く形成されたことを特徴とする請求項１記載の人体被覆体である。
【００１４】
請求項４記載の人体被覆体は、前記第一結合部の形状が互いに平行な二以上の直線的な形状である場合において、該第一結合部の形状は頭側の人体被覆体の横方向における長さと足側の人体被覆体の横方向における長さとが略同じか頭側の方が長く形成されたことを特徴とする請求項２記載の人体被覆体である。
【００１５】
請求項５記載の人体被覆体は、前記連結部の間に入れられた腕又は足について前記連結部の間から腕又は足の少なくとも一部が露出可能となる構成にしたことを特徴とする請求項１ないし４のうちいずれか１項記載の人体被覆体である。
【００１６】
請求項６記載の人体被覆体は、人体被覆体を人に掛けた場合に人体被覆体が肩まで掛かりかつ顔が出るように頭側の一端に凹部を設けることを特徴とする請求項１ないし５のうちいずれか１項記載の人体被覆体である。
【００１７】
請求項７記載の人体被覆体は、前記第一結合部は着脱自在に設けられていることを特徴とする請求項１ないし６のうちいずれか１項記載の人体被覆体である。
【００１８】
本発明において「腕」とは、肩から手首までの部分の他に手をも含む概念をいう。
【００１９】
本発明において「人体被覆体の縦方向」とは、人体被覆体を仰向けになった人に掛けた場合に該人の身長方向をいう。
【００２０】
本発明において「人体被覆体の横方向」とは、人体被覆体を仰向けになった人に掛けた場合に該人の左右方向（前記身長方向と垂直の方向）をいう。
【００２１】
本発明において「頭側」とは、人体被覆体を仰向けになった人に掛けた場合に該人の頭がある方をいう。
【００２２】
本発明において「足側」とは、人体被覆体を仰向けになった人に掛けた場合に該人の足がある方をいう。
【００２３】
本発明において「端部」とは、端の他、端から近傍の部分をも含む概念である。
【００２４】
本発明において「中央部分」とは、人体被覆体の横方向において前記両端部を除く部分の一部をいう。
【００２５】
本発明において「直線的な形状」とは、直線又は略直線の形状の他、幅のある直線又は略直線の形状、ジグザグ形状等の直線上又は略直線上に伸びる形状をも含む概念である。
【００２６】
本発明において「略平行」とは、平行の他に平行に近い形状も含む概念である。
【発明の効果】
【００２７】
請求項１記載の発明によると、人体被覆体を人に掛けた場合に連結部の間に腕又は足の少なくとも一部を入れたり出したりすることが可能とするように人体被覆体について構成することにより、必要最低限の露出で腕又は足等に点滴針を挿入し点滴を行うことができる。また、第二結合部を設けることにより、人体被覆体が掛けられた人が動いても連結部を構成する部材が該連結部から不必要に捲られず、人体被覆体１が使用しやすくなる。さらに、人体被覆体１を人に掛ける際にも、連結部を構成する部材が該連結部から不必要に捲られず、人体被覆体１が使用しやすくなる。
【００２８】
さらに、請求項１記載の発明によると、例えば連結部から露出させた腕又は足に点滴針を挿入した場合であって第二結合部を着脱自在とすることにより点滴針が挿入されている際すなわち点滴中にトイレ等に行くような人体被覆体から出る場合に、第二結合部をはずすことで点滴針を一度もはずすことなく人体被覆体から出ることが出来る。
【００２９】
さらに、請求項１記載の発明によると、例えば連結部から露出させた腕又は足に点滴針を挿入した場合であって人体被覆体が急激に移動した場合、例えば人体被覆体がベッドから落ちた場合、第二結合部が着脱自在であるため、第二結合部が点滴された腕等に引っかかっても、所定の力で第二結合部が外れるため、点滴針の脱落等を防止でき点滴の安全を確保できる。
【００３０】
請求項２記載の発明によると、第一結合部の形状を人体被覆体の横方向に沿った一の直線的な形状又は互いに略平行な二以上の直線的な形状にした第一結合部の形状にするため、形状自体が単純なものであり、例えば縫い付ける場合、縫いやすく、特に機械により縫う場合に機械の設定上容易に縫うことが出来る。
【００３１】
請求項３記載の発明によると、第一結合部の形状を互いに略平行な二以上の直線的な形状にした場合に該第一結合部の形状を、頭側の人体被覆体の横方向における長さと足側の人体被覆体の横方向における長さとが略同じか頭側の方が長く形成することにより、第一結合部において頭側の部材を捲った場合に捲りやすくなる。
【００３２】
請求項４記載の発明によると、第一結合部を頭側の人体被覆体の横方向における長さと足側の人体被覆体の横方向における長さとが略同じか頭側の方が長く形成することにより、連結部において頭側の部材を捲った場合に捲りやすくなる。
【００３３】
請求項５記載の発明によると、連結部の間から腕又は足の少なくとも一部が露出可能となるように構成することで、例えば前腕に点滴針を挿入する場合に、この挿入部位を連結部の間から露出させることができ、点滴時の点滴針の脱落等について人体被覆体を捲らずに確認することが出来、就寝中の患者を起こさずに点滴針の脱落等を確認出来る。また、必要最低限の露出で手や腕又は足等に点滴針を挿入し点滴を行うこと出来るので、例えば肩等の余計な部分の露出も防ぎ冷え等を防止できる。
【００３４】
請求項６記載の発明によると、凹部により、人体被覆体を人に掛けた場合に人体被覆体が肩まで掛かりかつ顔が出るようになる。これにより、肩の露出が少なくなり、夜間における肩の保温効果を高めることが可能となる。
【００３５】
請求項７記載の発明によると、第一結合部を着脱自在とすることにより、人体被覆体を構成する部材を取り外し出来るため、例えば汚れた一部の部材のみを洗濯できたり、一部の部材のみを交換できる。
【発明を実施するための最良の形態】
【００３６】
本発明の実施するための最良の形態について図面を参照しながら説明する。なお、図面中において同じ又は対応する部分については同じ符号をつけて説明する。また、図中において、説明が既にされており、あらためて説明が不要な部分については適宜符号を省略する。
【００３７】
（第一実施形態１）
第一実施形態に係る人体被覆体１の概略について図１を参照して説明する。図１は第一実施形態に係る人体被覆体1の一例の使用例を示した図である。
【００３８】
第一実施形態に係る人体被覆体１は、例えば図１のように、第一部材１１、第二部材１２、第三部材１３を有し頭側連結部２１、足側連結部２２により相互に連結してなる。
【００３９】
また、人体被覆体１を人に掛けた場合に、頭側連結部２１の間から腕の少なくとも一部が、足側連結部２２の間から足の少なくとも一部が露出可能となるように人体被覆体１を構成する。第一部材１１等の寸法は適宜決定する。
【００４０】
そして、図１に示すように人体被覆体１が人に掛けられると、例えば図１のように、腕の一部として前腕が頭側連結部２１の間から露出可能となり、足の一部として足首が足側連結部２２の間から露出可能となる。
【００４１】
このように構成することで、図１のように露出された前腕に点滴がされると、必要最低限の露出で腕又は足等に点滴針を挿入し点滴を行うことが可能となり、点滴時において、肩等の余計な部分を露出せずに点滴部位を露出することが出来るため肩等の冷えを防止等できる。さらに点滴部位を露出することで医療従事者が人体被覆体１を捲らずに点滴針が脱落していないか等を確認できるため、医療従事者は就寝中の患者を起こさずに点滴針の脱落等を確認できる。
【００４２】
図１においては足も連結部の間に入れて露出させているが、当然点滴針を挿入する腕又は足のみを連結部の間に入れて露出させればよい。
【００４３】
第一実施形態に係る人体被覆体１の構成について図２ないし図４を参照して説明する。また、適宜図１も参照する。ここで、図２等の人体被覆体１と図１記載の人体被覆体１は寸法等が若干異なる。
【００４４】
ここで、図２は第一実施形態１にかかる人体被覆体の一例の平面図である。図３は第一実施形態１に係る人体被覆体の一例の側面図である。図４は第一実施形態１に係る人体被覆体の結合部の一例を示した図である。
【００４５】
人体被覆体１は二以上の部材を頭側の部材を上にして前記頭側の部材と反対側の部材の一部が重複するように連結部により相互に連結されることにより構成される。
【００４６】
具体的には図２、図３のように人体被覆体１は人体被覆体の第一部材１１、第二部材１２、第三部材１３の三つの部材を備える。これら三つの部材は人体被覆体１の縦方向に配置され、縦方向に第一部材１１と第二部材１２は頭側連結部２１により連結される。第二部材１２と第三部材１３は足側連結部２２により連結される。
【００４７】
ここで、図４のように頭側連結部２１は頭側第一結合部３１を備え、足側連結部２２は足側第一結合部３３を備え、これらの結合部により各部材は結合される。これにより、二以上の部材は連結部により相互に連結される。
【００４８】
また、図３のように、隣り合う第一部材１１と第二部材１２のうち頭側（図３では向かって左側）にある第一部材１１を上に、反対側（足側すなわち図３では向かって右側）にある第二部材１２を下にして第一部材１１の一部と第二部材１２の一部を重複するように第一部材１１と第二部材１２とを頭側第一結合部３１（図４参照）により連結する。
【００４９】
同様に、第二部材１２と第三部材１３は足側連結部２２で第二部材１２を上にして足側第一結合部３３（図４参照）により連結される。
【００５０】
このようにして、二以上の部材は頭側の部材を上にして前記頭側の部材と反対側の部材の一部が重複するように連結部により相互に連結される。
【００５１】
頭側の部材を上にして前記頭側の部材と反対側の部材の一部が重複するように連結することにより、人体被覆体１を人に掛けた場合に、頭側連結部２１の間、すなわち第一部材１１と第二部材１２とが重複する部分の間に腕を入れたり出したりすることが可能となる（図１参照）。
【００５２】
同様に人体被覆体１を人に掛けた場合に、足側連結部２２の間、すなわち第二部材１２と第三部材１３とが重複する部分の間に足を入れたり出したりすることが可能となる（図１参照）。
【００５３】
人体被覆体１を人に掛けた場合に人体被覆体１が肩まで掛かりかつ顔が出るように頭側の一端に凹部１００を設ける。具体的には図２に示すように、第一部位１１の頭側（図２にあっては向かって左側）に凹部１００を設ける。
【００５４】
凹部１００により、人体被覆体１を人に掛けた場合に人体被覆体１が肩まで掛かりかつ顔が出るようになる（図１参照）。これにより、肩の露出が無くなる又は少なくなり、夜間における肩の保温効果を高めることが可能となる。
【００５５】
なお、図２において凹部１００は略Ｕ字型に形成されているが、例えば略Ｖ字型等の形でも良い。凹部１００の形状は、人体被覆体本体１を体に掛け場合に凹部１００から顔が出て肩の露出が無くなる又は少なくなる形状であればよい。
【００５６】
人体被覆体１は毛布、掛け布団等が該当する。基本的に第一部材１１ないし第三部材１３の素材は、毛布、布団等のもので統一されるが、第一部材１１ないし第三部材１３について同様のものでなくとも良い。例えば、人体被覆体１の構成は、第一部材１１は毛布、第二部位１２は布団、第三部位１３は毛布という構成でも良い。
【００５７】
各部材（第一部材１１ないし第三部材１３）の形状、寸法等、連結部（頭側連結部２１及び足側連結部２２）の形状、縦方向の長さ（図２においては実線から破線までの長さ）等については適宜決定し得る。
【００５８】
但し、人体被覆体１を人に掛けた場合に連結部の間に腕又は足の少なくとも一部を入れたり出したりすることが可能とするように人体被覆体１について構成する。
【００５９】
具体的には、頭側連結部２１の間に腕の少なくとも一部を入れたり出したりすることが可能となり、足側連結部２２の間に足の少なくとも一部を入れたり出したりすることが可能となるように上記寸法等を決定する（図１参照）。
【００６０】
このような構成により必要最低限の露出で手や腕又は足等に点滴針を挿入し点滴を行うことができる。
【００６１】
さらに、人体被覆体１を連結部の間に入れられた腕又は足について連結部の間から腕又は足の少なくとも一部が露出可能となる構成にする。
【００６２】
具体的には、頭側連結部２１の間に入れられた腕について頭側連結部２１の間から腕の少なくとも一部（例えば前腕）が露出可能となり、足側連結部２２の間に入れられた足について足側連結部２２の間から足の少なくとも一部（例えば足首）を入れたり出したりすることが可能となるように上記寸法等を決定する（図１参照）。
【００６３】
このように連結部の間から腕又は足の少なくとも一部が露出可能となるように構成することで、図１のような前腕に点滴針を挿入する場合に、この挿入部位を連結部の間から露出させることができ、点滴時の点滴針の脱落等について人体被覆体１を捲らずに確認することが出来、就寝中の患者を起こさずに点滴針の脱落等を確認出来る。また、必要最低限の露出で腕又は足等に点滴針を挿入し点滴を行うこと出来るので、例えば肩等の余計な部分の露出も防ぎ冷え等を防止できる。
【００６４】
同様に、足首に点滴をする場合でも、この挿入部位を連結部の間から露出させることができ、点滴時の点滴針の脱落等を布団を捲らずに確認することが出来、かつ、例えば太もも等の余計な部分の露出も防ぎ冷え等を防止できる。
【００６５】
ここで結合部について説明する。連結部は第一結合部及び第二結合部を備える。
【００６６】
具体的には、図４のように頭側連結部２１は頭側第一結合部３１及び頭側第二結合部３２を備え、足側連結部２２は足側第一結合部３３及び足側第二結合部３４を備える。
【００６７】
第一結合部は人体被覆体の横方向における少なくとも中央部分で連結部を構成する部材を結合する。具体的には図４のように頭側第一結合部３１は第一部材１１と第二部材１２を結合する。足側第一結合部３３は第二部材１２と第三部材１３を結合する。例えば、図４の頭側第一結合部３１や足側第一結合部３３に示すように、第一結合部は人体被覆体の横方向における中央に位置させる。ここで「中央」とは人体被覆体に横方向における中央及びその近傍の一部分又は全部分をいい、人体被覆体の横方向に多少ずれても良い。
【００６８】
さらに、第一結合部の形状を人体被覆体の横方向に沿った一の直線的な形状又は互いに略平行な二以上の直線的な形状にする。結合部について結合する手段は例えば縫い付けることにより実現される。
【００６９】
図4のように第一結合部の形状を人体被覆体の横方向（図３にあっては縦方向）に沿った互いに略平行な二の直線的な形状にする。
【００７０】
図４の頭側第一結合部３１や足側第一結合部３３に示すように、第一結合部を人体被覆体の横方向における中央に位置させることにより、左右一方又は両方の腕、左右一方又は両方の足の一部連結部の間に入れたり出したりすることが出来る。さらに、左右一方又は両方の腕、左右一方又は両方の足の一部を連結部の間から露出可能とすることが出来る。
【００７１】
連結部の間から露出可能とすることにより、例えば両腕の前腕に点滴針を挿入しても、点滴針が挿入された部位を露出させることが出来る。また、点滴針を左右一方の腕の前腕に点滴針を挿入する場合でも点滴針を挿入しやすい腕を選ぶことが出来る。
【００７２】
また、第一結合部の形状を人体被覆体の横方向に沿った一の直線的な形状又は互いに略平行な二以上の直線的な形状にした第一結合部の形状は、形状自体が単純なものであり、例えば縫い付ける場合、縫いやすく特に機械により縫う場合に機械の設定上容易に縫うことが出来る。
【００７３】
また、直線的な形状についてそれぞれが交差しないため、人体被覆体１を清潔に保つことが出来る。例えば人体被覆体１について洗濯等を繰り返した場合に交差した部分すなわち直線的な形状同士の交点部分があると、この交点部分にゴミがたまり、不衛生になってしまうということがあるからである。
【００７４】
さらに、例えば図４の頭側第一結合部３１や足側第一結合部３３に示すように、第一結合部は連結部を構成する部材それぞれの人体被覆体１の縦方向の端部近傍において人体被覆体の横方向に沿って連結部を構成する部材を結合している。
【００７５】
具体的には、図４の頭側第一結合部３１に示すように第一部材１１の人体被覆体１の縦方向の端部近傍（図４にあっては第一部材１１の向かって右側の端部近傍）及び第二部材１２の人体被覆体１の縦方向の端部近傍（図４にあっては第二部材１２の向かって左側の端部近傍）において、頭側第一結合部３１は人体被覆体の横方向に沿って連結部を構成する部材を結合している。足側第一結合部３３についても同様である。
【００７６】
このように結合することで、連結部を構成する部材が不必要に捲くられるのを防ぐことが出来る。
【００７７】
また、第一結合部の形状を互いに略平行な二以上の直線的な形状にすることで、連結部における連結の強度を上げることが出来る。
【００７８】
さらに、例えば、図４の頭側第一結合部３１や足側第一結合部３３に示すように、互いに略平行な二以上の直線的な形状について、頭側の人体被覆体の横方向における長さと足側の人体被覆体の横方向における長さとを同じに形成する。
【００７９】
このように、第一結合部すなわち頭側第一結合部３１や足側第一結合部３３が互いに平行な二以上の直線的な形状である場合において、第一結合部すなわち頭側第一結合部３１や足側第一結合部３３の形状を、頭側の人体被覆体の横方向における長さと足側の人体被覆体の横方向における長さとが略同じか頭側（図４にあっては左側）の方が長く形成することにより、第一結合部すなわち頭側連結部２１や足側連結部２２において頭側の部材を捲った場合に、捲る部分の面積を大きく取ることが出来、図4のように頭側の部材が捲りやすくなる。
【００８０】
頭側第一結合部３１や足側第一結合部３３すなわち第一結合部の形状を人体被覆体の横方向に沿った一の直線的な形状又は互いに略平行な二以上の直線的な形状にしない場合でも、第一結合部を頭側の人体被覆体の横方向における長さと足側の人体被覆体の横方向における長さとが略同じか頭側の方が長く形成することにより、第一結合部すなわち頭側連結部２１や足側連結部２２において頭側の部材を捲った場合に、捲る部分の面積を大きく取ることが出来、図4のように部材が捲りやすくなる。
【００８１】
第二結合部は連結部内の人体被覆体の横方向における一端部又は両端部の少なくとも一部で前記連結部を構成する部材を着脱自在に結合する。例えば、図４に示すように、頭側連結部２１の人体被覆体１の横方向における両端部において頭側第二結合部３２により第一部材１１と第二部材１２を着脱自在に結合する。足側連結部２２の人体被覆体１の横方向における両端部において足側第二結合部３４により第二部材１２と第三部材１３を着脱自在に結合する。
【００８２】
この第二結合部を設けることにより、人体被覆体１が掛けられた人が動いても連結部を構成する部材が該連結部から不必要に捲られず、人体被覆体１が掛けられた人に体の一部を不必要に露出するのを防ぐことができ、人体被覆体１が使用しやすくなる。さらに、人体被覆体１を人に掛ける際にも、連結部を構成する部材が該連結部から不必要に捲られず、人体被覆体１が使用しやすくなる。
【００８３】
頭側第二結合部３２や足側第二結合部３４すなわち第二結合部を設ける人体被覆体１の横方向における前記連結部の「端部」は、第二結合部で結合した場合に連結部を構成する部材が該連結部から不必要に捲られるのを防げる位置であればよく、上述のように端の他、端から近傍の部分をも含む概念である。
【００８４】
また、頭側第二結合部３２や足側第二結合部３４すなわち第二結合部を着脱自在とすることにより例えば図１のように点滴針が挿入されている際すなわち点滴中にトイレ等に行くような人体被覆体１から出る場合に、第二結合部をはずすことで点滴針を一度もはずすことなく人体被覆体１から出ることが出来る。
【００８５】
さらに人体被覆体１が急激に移動した場合、例えば人体被覆体１がベッドから落ちた場合、第二結合部が着脱自在であるため、第二結合部が点滴された腕等に引っかかっても、所定の力で第二結合部が外れるため、点滴針の脱落等を防止でき点滴の安全を確保できる。
【００８６】
頭側第二結合部３２や足側第二結合部３４すなわち第二結合部は、スナップボタン、面ファスナー等により実現される。図４にあってはスナップボタンが採用されている。
【００８７】
頭側第一結合部３１や足側第一結合部３３すなわち第一結合部の形状、大きさ、結合箇所、結合箇所の数、位置は適宜変更し得る。ただし、連結部内の人体被覆体１の横方向における少なくとも中央部分で連結部を構成する部材を結合する。頭側第二結合部３２や足側第二結合部３４すなわち第二結合部の形状、大きさ、結合箇所、結合箇所の数、位置は適宜変更し得る。ただし、連結部内の人体被覆体１の横方向における一端部又は両端部の少なくとも一部で前記連結部を構成する部材を着脱自在に結合する。
【００８８】
さらに、第一結合部及び第二結合部は、連結部の間に腕又は足の少なくとも一部を入れたり出したりすることを可能となるように設ける。さらに、第一結合部及び第二結合部は、前記連結部の間に入れられた腕又は足について前記連結部の間から腕又は足の少なくとも一部が露出可能となるように設ける。
【００８９】
つまり、頭側第一結合部３１や足側第一結合部３３の第一結合部については、頭側連結部２１や足側連結部２２の連結部において、第一結合部と人体被覆体１の横方向における一端部又は両端部との間の所定位置に所定の範囲で結合しない部分が存在するように、人体被覆体１の横方向における少なくとも中央部分で（連結部内の一部を占める範囲で）第一結合部を設ける。これにより結合しない部分に両腕又は片腕、両足又は片足を連結分内に入れたり出したり等出来る。
【００９０】
また、頭側第二結合部３２や足側第二結合部３４の第二結合部については、頭側連結部２１や足側連結部２２の連結部において、第一結合部と人体被覆体１の横方向における一端部又は両端部との間の所定位置に、第二結合部を結合した場合、上記第一結合部で結合しない部分に入れたり出したりする両腕又は片腕、両足又は片足の邪魔にならないように、連結部内の人体被覆体１の横方向における一端部又は両端部において第二結合部を設ける。当然、連結部を構成する部材が該連結部から不必要に捲られるのを防ぐために、第二結合部を設ける点にも留意して、第二結合部を設ける場所（一端部又は両端部）を決定し、第二結合部を連結部内の人体被覆体１の横方向における一端部又は両端部において設ける。
【００９１】
なお、特に限定するわけでは無いが、前記所定位置の第一結合部で結合しない部分については、広く取り連結部の間に入れた腕又は足がある程度自由に動くのが望ましい。
【００９２】
図５は第一実施形態１にかかる人体被覆体の一例の斜視図である。図５のように人体被覆体１を構成する。寸法等は上記図１等に記載の人体被覆体1とは若干異なる。
【００９３】
なお、点滴針を挿入する部分については、上記のような前腕、足首に限らない。足に点滴針を挿入して点滴する際に、太ももに点滴針を挿入する場合がある。この場合は、図６に示すように足側連結部２２の第二部材１２を捲り点滴針を太ももに挿入する。ここで、図６は第一実施形態に係る人体被覆体1の一例の使用例を示した図である。寸法等は上記図１等に記載の人体被覆体1とは若干異なる。また、頭側連結部２１、足側連結部２２について誇張して描かれている。
【００９４】
足側第二結合部３４については結合をはずすことが出来るので、図６のような足側連結部２２の第二部材１２を捲ることが可能となる。
【００９５】
腕についても、前腕より頭側の位置に点滴針を挿入する場合は点滴針を太ももに挿入する場合と同様に、頭側連結部２１の第一部材１１を捲り、点滴針を挿入する。
【００９６】
点滴針を太もも等に挿入する点滴時には、第一部材１１や第二部材１２を捲ったままにしておけば、点滴部位を露出させたままにすることが出来、医療従事者の点滴針の脱落等の確認が確認のたびに人体被覆体１を捲らずに出来る。
【００９７】
（第一実施形態２）
第一結合部すなわち頭側第一結合部３１及び又は足側第一結合部３３を着脱自在としてもよい。第一実施形態にかかる人体被覆体１においては、人体被覆体１を構成する部材をそれぞれ取り外しが出来ないため、洗濯する際に丸洗いが可能であるが、この第一実施形態２においては、人体被覆体１を構成する部材を取り外し出来るため、例えば汚れた第一部材１１のみを洗濯できる等の一部の部材のみを交換できる。
【００９８】
第一結合部を着脱自在とした場合、第一結合部は図７又は図８に示すように面ファスナー、スナップボタン等により実現される。
【００９９】
図７は頭側第一結合部３１や足側第一結合部３３の第一結合部と、頭側第二結合部３２や足側第二結合部３４の第二結合部とを面ファスナーにした場合の結合部を示した図である。
【０１００】
図８は頭側第一結合部３１や足側第一結合部３３の第一結合部と、頭側第二結合部３２や足側第二結合部３４の第二結合部とをスナップボタンにした場合の結合部を示した図である。
【０１０１】
図７のように面ファスナーの第二結合部が人体被覆体１の縦方向にある程度長さを持つと人体被覆体１の縦方向における連結部の長さを調節できる。これにより人の体型に合わせた人体被覆体１を使用出来る。
【０１０２】
図８のようにスナップボタンの第二結合部が人体被覆体１の縦方向に複数配置されると人体被覆体１の縦方向における連結部の長さを調節できる。これにより人の体型に合わせた人体被覆体１を使用出来る。
【０１０３】
（第一実施形態３）
図９、図１０に示すように、連結部の間に入れた腕や足を露出可能としなくても良い。ここで、図９、図１０は第一実施形態に係る人体被覆体1の一例の使用例を示した図である。なお、図９や図１０記載の人体被覆体1は寸法等が若干異なっている。
【０１０４】
この場合、図９のように前腕に点滴針が注射された腕の少なくとも一部は頭側連結部２１の間に位置することになる。足首に点滴針が挿入された場合は、足の少なくとも一部は足側連結部２２の間に位置することになる（図示せず）。
【０１０５】
このような場合は図１０に示すように頭側連結部２１において第一部材１１の一部を捲ることで、点滴針の脱落等を確認できる。足首に点滴針が挿入されていないが図１０のように足首に点滴針が挿入された場合についても足側連結部２２から第二部材１２の一部を捲ることで、点滴針の脱落等を確認できる。
【０１０６】
このようにすることで、点滴針の脱落等を確認する際に、人体被覆体１の本体を捲る必要がないため、就寝中の患者を起こしてしまうことを防げる。また、必要最低限の露出で腕又は足等に点滴針を挿入し点滴を行うこと出来るので、例えば肩等の余計な部分の露出も防ぎ冷え等を防止できる。
【０１０７】
また、使用方法として図１０のように第一部材１１の一部、第二部材１２の一部を捲り、捲ったままにすることにより点滴針の挿入された部分を露出させたままにすることが出来る。図１０においては足も連結部の間に入れているが、当然点滴針を挿入する腕又は足をのみを連結部の間に入れればよい。
【０１０８】
このようにすることで、点滴時の点滴針の脱落等について人体被覆体１を捲らずに確認することが出来、就寝中の患者を起こさずに点滴針の脱落等を確認出来る。また、必要最低限の露出で手や腕又は足等に点滴針を挿入し点滴を行うこと出来るので、例えば肩等の余計な部分の露出も防ぎ冷え等を防止できる。
【０１０９】
（第一実施形態４）
頭側第一結合部３１、頭側第二結合部３２、足側第一結合部３３、足側第二結合部３４はそれぞれを異なる形状等にしても良い。
【０１１０】
例えば、頭側第一結合部３１と頭側第二結合部３２の形状が異なっても良い。頭側第二結合部３２は面ファスナーで、足側第二結合部３４はスナップボタンでも良い。頭側第一結合部３１は面ファスナーで、頭側第二結合部３２はスナップボタンでも良い。頭側第一結合部３１は面ファスナーで、足側第一結合部３３はスナップボタンでも良い。
【０１１１】
（第二実施形態）
第二実施形態について図１１ないし図１３を参照して説明する。図１１は第二実施形態にかかる人体被覆体の一例の斜視図である。図１２は第二実施形態に係る人体被覆体1の一例の使用例を示した図である。図１３は第一結合部と第二結合部とを面ファスナーにした場合の結合部を示した図である。図１１ないし図１３記載の人体被覆体は寸法が若干異なっている。
【０１１２】
図１１、図１２に示すように、第二実施形態に係る人体被覆体１は二の部材を頭側の部材を上にして前記頭側の部材と反対側の部材の一部が重複するように連結部により相互に連結し、連結部の間に腕の少なくとも一部を入れたり出したりすることを可能とする構成であり、さらに、前記連結部の間に入れられた腕について前記連結部の間から腕の少なくとも一部が露出可能となる構成にしてある。
【０１１３】
すなわち、第一実施形態１ないし４に係る人体被覆体１と大きく異なる点は、第二実施形態に係る人体被覆体１は二の部材、第一部材１１及び第二部材１２を連結してなる点であり、第二実施形態に係る人体被覆体１は頭側連結部２１を有し、足側連結部２２を有さない点である。
【０１１４】
第一実施形態１ないし４に係る人体被覆体１は腕や足に点滴針が挿入されて点滴されることを想定しているが、第二実施形態に係る人体被覆体１は腕に点滴針が挿入されて点滴されることを想定している。
【０１１５】
図１１に示すように第二実施形態に係る人体被覆体１は二の部材、第一部材１１及び第二部材１２を頭側連結部２１により連結してなるので、当然に、第二実施形態に係る人体被覆体１の第二部材１２は、第一実施形態１ないし４に係る人体被覆体１の第二部材１２よりも人体被覆体１の縦方向に長くなる。
【０１１６】
また図１１ないし図１３に図示していないが、頭側連結部２１は第一結合部及び第二結合部を有する。
【０１１７】
頭側連結部２１、第一結合部、第二結合部等の説明やその他の説明については第一実施形態１ないし４に係る人体被覆体１についての上記の頭側連結部２１、頭側第一結合部３１、頭側第二結合部３２等の説明やその他の説明に準じるので説明を省略する。
【０１１８】
（第三実施形態）
第三実施形態について図１４ないし図１７を参照して説明する。図１４は第三実施形態にかかる人体被覆体の一例の斜視図である。図１５は第三実施形態に係る人体被覆体1の一例の使用例を示した図である。図１６は第三実施形態に係る人体被覆体1の一例の使用例を示した図である。図１７は第一結合部と第二結合部とを面ファスナーにした場合の結合部を示した図である。図１４ないし図１７記載の人体被覆体は寸法が若干異なる場合がある。
【０１１９】
図１４、図１５に示すように、第三実施形態に係る人体被覆体１は二の部材を頭側の部材を上にして前記頭側の部材と反対側の部材の一部が重複するように連結部により相互に連結し、連結部の間に足の少なくとも一部を入れたり出したりすることを可能とする構成であり、さらに、前記連結部の間に入れられた足について前記連結部の間から足の少なくとも一部が露出可能となる構成にしてある。
【０１２０】
すなわち、第一実施形態１ないし４に係る人体被覆体１と大きく異なるのは、第三実施形態に係る人体被覆体１は二の部材、第一部材１１及び第三部材１３を連結してなる点であり、第三実施形態に係る人体被覆体１は足側連結部２２を有し、頭側連結部２１を有さない点である。
【０１２１】
第一実施形態１ないし４に係る人体被覆体１は腕や足に点滴針が挿入されて点滴されることを想定しているが、第三実施形態に係る人体被覆体１は足に点滴針が挿入されて点滴されることを想定している。
【０１２２】
図１４に示すように第三実施形態に係る人体被覆体１は二の部材、第一部材１１及び第二部材１３を連結してなるので、当然に、第三実施形態に係る人体被覆体１の第一部材１１は、第一実施形態１ないし４に係る人体被覆体１の第一部材１１よりも人体被覆体１の縦方向に長くなる。
【０１２３】
また図１４ないし図１７に図示していないが、連結部は第一結合及び第二結合部を有する。
【０１２４】
連結部、第一結合部、第二結合部等の説明やその他の説明については第一実施形態１ないし４に係る人体被覆体１についての上記の足側連結部２２、足側第一結合部３３、足側第二結合部３４等の説明やその他の説明に準じるので説明を省略する。
【０１２５】
第三実施形態に係る人体被覆体１について、足の少なくとも一部を足側連結部２２の間から露出可能とすることにより、例えば、図１６に示すように足側連結部２２の間から骨折した足を露出させ、この足を吊ることが出来る。この場合、もう一方の骨折していない足については、人体被覆体１から露出させないので、余計な冷え等を防げる。第一実施形態１等に係る人体被覆体１でも同様の使用方法が可能である。
【０１２６】
（その他）
本発明に係る人体被覆体は医療現場以外でも使用が可能である。例えば、第二実施形態に係る人体被覆体１について、図１８に示すように腕の少なくとも一部を頭側連結部２１の間から露出可能とすることにより、腕を頭側連結部２１の間から出すことにより、人体被覆体１を人に掛けた場合に、仰向けのまま楽に読書等が出来る。また、肩等の余計な部分を露出せずに本等を読むことが出来る。これにより、肩等の冷えを防止できる。第一実施形態１等に係る人体被覆体１でも同様の使用方法が可能である。
【図面の簡単な説明】
【０１２７】
【図１】第一実施形態に係る人体被覆体の一例の使用例を示した図である。
【図２】第一実施形態に係る人体被覆体の一例の平面図である。
【図３】第一実施形態に係る人体被覆体の一例の側面図である。
【図４】第一実施形態に係る人体被覆体の結合部の一例を示した図である。
【図５】第一実施形態に係る人体被覆体の一例の斜視図である。
【図６】第一実施形態に係る人体被覆体の一例の使用例を示した図である。
【図７】第一結合部と第二結合部とを面ファスナーにした場合の結合部を示した図である。
【図８】第一結合部と第二結合部とをスナップボタンにした場合の結合部を示した図である。
【図９】第一実施形態に係る人体被覆体の一例の使用例を示した図である。
【図１０】第一実施形態に係る人体被覆体の一例の使用例を示した図である。
【図１１】第二実施形態に係る人体被覆体の一例の斜視図である。
【図１２】第二実施形態に係る人体被覆体の一例の使用例を示した図である。
【図１３】第一結合部と第二結合部とを面ファスナーにした場合の結合部を示した図である。
【図１４】第三実施形態にかかる人体被覆体の一例の斜視図である。
【図１５】第三実施形態に係る人体被覆体の一例の使用例を示した図である。
【図１６】第三実施形態に係る人体被覆体の一例の使用例を示した図である。
【図１７】第一結合部と第二結合部とを面ファスナーにした場合の結合部を示した図である。
【図１８】第二実施形態に係る人体被覆体の一例の使用例を示した図である。
【符号の説明】
【０１２８】
１  人体被覆体
１１  第一部材
１２  第二部材
１３  第三部材
２１  頭側連結部
２２  足側連結部
３１  頭側第一結合部
３２  頭側第二結合部
３３  足側第一結合部
３４  足側第二結合部
１００  凹部
【図１】
2007061556.tif 000003
【図２】
2007061556.tif 000004
【図３】
2007061556.tif 000005
【図４】
2007061556.tif 000006
【図５】
2007061556.tif 000007
【図６】
2007061556.tif 000008
【図７】
2007061556.tif 000009
【図８】
2007061556.tif 000010
【図９】
2007061556.tif 000011
【図１０】
2007061556.tif 000012
【図１１】
2007061556.tif 000013
【図１２】
2007061556.tif 000014
【図１３】
2007061556.tif 000015
【図１４】
2007061556.tif 000016
【図１５】
2007061556.tif 000017
【図１６】
2007061556.tif 000018
【図１７】
2007061556.tif 000019
【図１８】
2007061556.tif 000020